(57)【要約】      （修正有）【課題】一対の把持部を用いてスクリュ外径を測定する時に、どの位置のスクリュ山が摩耗しているかが分かるようにする。【解決手段】保持体に着脱自在に設けられた第１把持部3の第１幅W3は、測定対象とするスクリュ6のスクリュ山幅W1より大で、かつ、スクリュ6のスクリュピッチPより小であり、第２把持部3Aの第２幅W4は、スクリュ6のスクリュピッチPより少なくともスクリュ山幅W1１つ以上大で、かつ、スクリュピッチPの２倍より小であり、第１把持部3によってスクリュ6の1つの第１スクリュ山7のみを把持し、第２把持部3Aによって第１スクリュ山7の対向位置にあるスクリュ谷7Cの前後の２つの第２、第３スクリュ山7A,7Bのみを把持することにより、測定対象のスクリュ山径D2を測定する。【選択図】図１
2016080638.tif 000002
【特許請求の範囲】
【請求項１】
スクリュ(6)のスクリュ外径(D1)を、保持体(1A)に着脱自在に設けられた第１把持部(3)及び第２把持部(3A)を用いて測定するようにしたスクリュ外径測定装置において、
前記第１把持部(3)の第１幅(W3)は、測定対象とする前記スクリュ(6)のスクリュ山幅(W1)より大で、かつ、前記スクリュ(6)のスクリュピッチ(P)より小であり、
前記第２把持部(3A)の第２幅(W4)は、前記スクリュ(6)のスクリュピッチ(P)より少なくとも前記スクリュ山幅(W1)１つ以上大で、かつ、前記スクリュピッチ(P)の２倍より小であり、
前記第１把持部(3)によって前記スクリュ(6)の1つの第１スクリュ山(7)のみを把持し、前記第２把持部(3A)によって前記第１スクリュ山(7)の対向位置にあるスクリュ谷(7C)の前後の２つの第２、第３スクリュ山(7A,7B)のみを把持することにより、測定対象のスクリュ山径(D2)を測定することを特徴とするスクリュ外径測定装置。
【請求項２】
前記第１把持部(3)は互いに異なる第１幅(W3)を有する複数個よりなり、前記第２把持部(3A)は互いに異なる第２幅(W4)を有する複数個よりなることを特徴とする請求項１記載のスクリュ外径測定装置。
【請求項３】
スクリュ(6)のスクリュ外径(D1)を、保持体(1A)に着脱自在に設けられた第１把持部(3)及び第２把持部(3A)を用いて測定するようにしたスクリュ外径測定方法において、
前記第１把持部(3)の第１幅(W3)は、測定対象とする前記スクリュ(6)のスクリュ山幅(W1)より大で、かつ、前記スクリュ(6)のスクリュピッチ(P)より小であり、
前記第２把持部(3A)の第２幅(W4)は、前記スクリュ(6)のスクリュピッチ(P)より少なくとも前記スクリュ山幅(W1)１つ以上大で、かつ、前記スクリュピッチ(P)の２倍より小であり、
前記第１把持部(3)によって前記スクリュ(6)の1つの第１スクリュ山(7)のみを把持し、前記第２把持部(3A)によって前記第１スクリュ山(7)の対向位置にあるスクリュ谷(7C)の前後の２つの第２、第３スクリュ山(7A,7B)のみを把持することにより、測定対象のスクリュ山径(D2)を測定することを特徴とするスクリュ外径測定方法。
【請求項４】
前記第１把持部(3)は互いに異なる第１幅(W3)を有する複数個よりなり、前記第２把持部(3A)は互いに異なる第２幅(W4)を有する複数個よりなることを特徴とする請求項３記載のスクリュ外径測定方法。
【発明の詳細な説明】
【技術分野】
【０００１】
本発明は、スクリュ外径測定装置及び方法に関し、特に、スクリュの１つのスクリュ山径を、互いに幅の異なる把持部を用いることにより、測定することができるようにするための新規な改良に関する。
【背景技術】
【０００２】
従来、用いられていたこの種のスクリュ外径測定装置としては、特許文献１及び２に開示された構成を挙げることができる。
まず、特許文献１で示されるノギスの構成は図４で示される通りである。
図４において、一方の測定ジョー１１１，１１２を有する本尺１１と、本尺１１の長手方向へ摺動自在に設けられ前記一方の測定ジョー１１１，１１２とともに被測定物に当接される他方の測定ジョー１２２，１２３を有するスライダ１２とを備えたノギス１において、本尺１１及びスライダ１２の少なくとも何れか一方は、ナノスケール物質を含む合成樹脂により形成されており、各測定ジョー１１１と１２３又は１１２と１２３によって、スクリュ１５０の外径を測定していた。
【０００３】
また、特許文献２で示されるワイヤーロープ測定用ノギスの構成は図５で示される通りである。
図５において、複数のロープ４をねじって形成された１本のワイヤ５の外径Ｄを測定するために、ワイヤ５の外周にノギス１の一対の第１、第２把持部３,３Ａを接触させて測定を行っていた。
【先行技術文献】
【特許文献】
【０００４】
【特許文献１】特開２００３−３４４００３号公報
【特許文献２】実開７−２０５０１号公報
【発明の概要】
【発明が解決しようとする課題】
【０００５】
従来のスクリュ外径測定装置は、以上のように構成されていたため、次のような課題が存在していた。
すなわち、押出機や射出機は、スクリュフライトの山とシリンダとのクリアランスが、重要なパラメータとなる。しかし、その使用により、シリンダ内面／スクリュ山それぞれ徐々に摩耗するため、折々のメンテナンス時にそれぞれの摩耗量を把握して許容を超えた場合は交換する。
前記スクリュの山の摩耗量はスクリュの外径を特許文献１のノギスにより測定することにより得られ、スクリュの条数が偶数の場合はスクリュ回転軸に直交した断面内でスクリュ山の対向位置に別のスクリュ山が存在するのでその測定に問題は無いが、１条あるいは３条スクリュのような奇数条のスクリュはノギスのように板状の刃状部が接触するだけでは、スクリュ回転軸に直交した断面内でスクリュ山の対向位置はスクリュの谷部となり正しく径を測ることが困難である。
【０００６】
これに対し、特許文献２の構成のように、測定対象物の外径に接触する一対の把持部が複数の条の山部にかかる幅を持つため、確実に何れかの山径を計ることができるが、この方法では、スクリュの長さのどの山を測定しているかが不明瞭になると云う課題が存在していた。
すなわち、押出機／射出機のスクリュ摩耗は装置内の樹脂の挙動（固体輸送／溶融／混練等）に影響されるためスクリュの長さ方向に摩耗量の分布が生じる。このため、メンテナンス時のスクリュ外径の計測はどの山位置での値であるかを特定した精度が求められる。
【０００７】
本発明は、以上のような課題を解決するためになされたもので、特に、スクリュ中の特定の１つのスクリュ山の摩耗を示すスクリュ山径を、互いに幅の異なる把持部を用いて測定することにより、容易に測定することができるようにしたスクリュ外径測定装置及び方法を提供することを目的とする。
【課題を解決するための手段】
【０００８】
本発明によるスクリュ外径測定装置は、スクリュのスクリュ外径を、保持体に着脱自在に設けられた第１把持部及び第２把持部を用いて測定するようにしたスクリュ外径測定装置において、前記第１把持部の第１幅は、測定対象とする前記スクリュのスクリュ山幅より大で、かつ、前記スクリュのスクリュピッチ(P)より小であり、前記第２把持部(3A)の第２幅は、前記スクリュのスクリュピッチより少なくとも前記スクリュ山幅１つ以上大で、かつ、前記スクリュピッチの２倍より小であり、前記第１把持部によって前記スクリュの1つの第１スクリュ山のみを把持し、前記第２把持部によって前記第１スクリュ山の対向位置にあるスクリュ谷の前後の２つの第２、第３スクリュ山のみを把持することにより、測定対象のスクリュ山径を測定する構成であり、また、前記第１把持部は互いに異なる第１幅を有する複数個よりなり、前記第２把持部は互いに異なる第２幅を有する複数個よりなる構成である。
また、本発明によるスクリュ外径測定方法は、スクリュのスクリュ外径を、保持体に着脱自在に設けられた第１把持部及び第２把持部を用いて測定するようにしたスクリュ外径測定方法において、前記第１把持部の第１幅は、測定対象とする前記スクリュのスクリュ山幅より大で、かつ、前記スクリュのスクリュピッチより小であり、前記第２把持部の第２幅は、前記スクリュのスクリュピッチより少なくとも前記スクリュ山幅１つ以上大で、かつ、前記スクリュピッチの２倍より小であり、前記第１把持部によって前記スクリュの1つの第１スクリュ山のみを把持し、前記第２把持部によって前記第１スクリュ山の対向位置にあるスクリュ谷の前後の２つの第２、第３スクリュ山のみを把持することにより、測定対象のスクリュ山径を測定する方法であり、また、前記第１把持部は互いに異なる第１幅を有する複数個よりなり、前記第２把持部は互いに異なる第２幅を有する複数個よりなる方法である。
【発明の効果】
【０００９】
本発明によるスクリュ外径測定装置及び方法は、以上のように構成されていたため、次のような効果を得ることができる。
すなわち、スクリュのスクリュ外径を、保持体に着脱自在に設けられた第１把持部及び第２把持部を用いて測定するようにしたスクリュ外径測定装置において、前記第１把持部の第１幅は、測定対象とする前記スクリュのスクリュ山幅より大で、かつ、前記スクリュのスクリュピッチより小であり、前記第２把持部の第２幅は、前記スクリュのスクリュピッチより少なくとも前記スクリュ山幅１つ以上大で、かつ、前記スクリュピッチの２倍より小であり、前記第１把持部によって前記スクリュの1つの第１スクリュ山のみを把持し、前記第２把持部によって前記第１スクリュ山の対向位置にあるスクリュ谷の前後の２つの第２、第３スクリュ山のみを把持することにより、測定対象のスクリュ山径を測定することにより、種々のスクリュピースのスクリュ外径を互いに幅の異なる把持部を用いて測定でき、特に、特定の１つのスクリュ山の外径を測定し、従来のような測定者の熟練度の差による測定誤差をゼロにすることができる。
また、前記第１、第２把持部が各々幅の異なるものを複数個ずつ有することにより、取替え自在となり、前記第１、第２把持部の幅を交換によって変えることにより、各種のスクリュピースのスクリュ外径を正確に測定することができる。
【図面の簡単な説明】
【００１０】
【図１】本発明によるスクリュ外径測定装置を示す要部の拡大図である。
【図２】図１のスクリュ外径測定装置を示す要部の構成図である。
【図３】図１のスクリュ山が摩耗した状態を示す説明図である。
【図４】従来のノギスを示す構成図である。
【図５】従来の外径測定方法を示す構成図である。
【発明を実施するための形態】
【００１１】
本発明によるスクリュ外径測定装置及び方法は、スクリュの１つのスクリュ山の摩耗を示すスクリュ山径を、互いに幅の異なる一対の把持部を用いて測定することである。
【実施例】
【００１２】
以下、図面と共に本発明によるスクリュ外径測定装置及び方法の好適な実施の形態について説明する。
尚、従来例と同一又は同等部分には、図５と同一符号を用いて説明する。
図１において、符号１で示されるものは、スクリュ外径測定装置であり、このスクリュ外径測定装置１は、基本的には、図２に示されるように、第１、第２把持部３,３Ａが、第１、第２取付部５,５Ａを介して保持体６に対して着脱自在に設けられ、特に、前記第１把持部３は矢印Ａの方向に沿って往復移動できるように構成され、スクリュ山径Ｄ２は、周知のように、前記保持体１Ａに設けられたデジタル表示体１Ｂによって表示されるように構成されている。
【００１３】
前記第１、第２把持部３,３Ａは、図１に示されるように、測定対象であるスクリュ６の第１スクリュ山７、第２スクリュ山７Ａ、第３スクリュ山７Ｂに接触するような位置に配設され、第１、第２把持部３,３Ａによってスクリュ６の外周を挟持することができるように構成されている。
【００１４】
前記第１把持部３の第１幅(W3)は、測定対象とする前記スクリュ６のスクリュ山幅(W1)より大で、かつ、前記スクリュ６のスクリュピッチＰより小であり、
前記第２把持部３Ａの第２幅(W4)は、前記スクリュ６のスクリュピッチＰより少なくとも前記スクリュ山幅(W1)１つ以上大で、かつ、前記スクリュピッチＰの２倍より小であり、前記第１把持部３によって前記スクリュ６の１つの第１スクリュ山７のみを把持し、前記第２把持部３Ａによって前記第１スクリュ山７の対向位置にあるスクリュ谷７Ｃの前後の２つの第２、第３スクリュ山７Ａ，７Ｂのみを把持することにより、測定対象とする特定の第１スクリュ山７のスクリュ山径Ｄ２を測定することができ、万一、摩耗が確認できれば、当該のスクリュピースの交換を行うことができる。従って、第１、第２把持部３,３Ａがこの条件を満たすことにより、第１把持部３で測定したい第１スクリュ山７のみを把持し、その対向位置にある谷の前後の第１、第２スクリュ山７,７Ａのみを第２把持部３Ａで把持することにより、測定対象のスクリュ山径Ｄ２を再現よく測定することができる。
また、互いに幅の異なる複数の第１、第２把持部３,３Ａを各々用意しておくことにより、必要に応じて前記第１、第２把持部３,３Ａを取り換えることができると共に、交換すべきスクリュピース(図示せず)の各スクリュ山７,７Ａ，７Ｂの大きさに合わせることができる。
【００１５】
尚、前述の本発明によるスクリュ外径測定装置及び方法の要旨とするところは次の通りである。
スクリュ６のスクリュ外径Ｄ1を、保持体1Ａに着脱自在に設けられた第１把持部３及び第２把持部３Ａを用いて測定するようにしたスクリュ外径測定装置において、前記第１把持部３の第１幅(W3)は、測定対象とする前記スクリュ６のスクリュ山幅(W1)より大で、かつ、前記スクリュ６のスクリュピッチＰより小であり、前記第２把持部３Ａの第２幅(W4)は、前記スクリュ６のスクリュピッチＰより少なくとも前記スクリュ山幅(W1)１つ以上大で、かつ、前記スクリュピッチＰの２倍より小であり、
前記第１把持部３によって前記スクリュ６の１つの第１スクリュ山７のみを把持し、前記第２把持部３Ａによって前記第１スクリュ山７の対向位置にあるスクリュ谷７Ｃの前後の２つの第２、第３スクリュ山７Ａ,７Ｂのみを把持することにより、測定対象のスクリュ山径Ｄ２を測定することができる構成と方法であり、また、前記第１把持部３は互いに異なる第１幅(W3)を有する複数個よりなり、前記第２把持部３Ａは互いに異なる第２幅(W4)を有する複数個よりなる構成と方法である。
【産業上の利用可能性】
【００１６】
本発明によるスクリュ外径測定装置及び方法は、第１、第２把持部の幅を互いに大、小の関係とし、特に、一方の第１把持部は１個のみのスクリュ山に接触させることにより、１個のスクリュ山の摩耗を個別に正確に測定することができる。
【符号の説明】
【００１７】
１    スクリュ外径測定装置
１Ａ    保持体
３    第１把持部
３Ａ    第２把持部
５    第１取付部
５Ａ    第２取付部
６    スクリュ
７    第１スクリュ山
７Ａ    第２スクリュ山
７Ｂ    第３スクリュ山
７Ｃ    スクリュ谷
Ｗ１    スクリュ山幅
Ｗ２    スクリュ谷幅
Ｗ３    第１幅
Ｗ４    第２幅
Ｐ    スクリュピッチ
Ｄ１    スクリュ外径
Ｄ２    スクリュ山径
【図１】
2016080638.tif 000003
【図２】
2016080638.tif 000004
【図３】
2016080638.tif 000005
【図４】
2016080638.tif 000006
【図５】
2016080638.tif 000007